(57)【要約】【課題】所定数内のいかなる電池数であっても電力を供給することができる動電源装置を提供する。【解決手段】電池室１００に電池１１が装填されているときは押し込み部材１０３が電池１１に押圧されて外に突出することで第１接片１０１と第２接片１０２との間を電気的に非導通とし、電池１１が装填されていないときは押し込み部材１０３が開口部１０７内の近傍に位置することで第１接片１０１と第２接片１０２との間を電気的に導通させるようにした。【選択図】図１
2010061900.tif 000002
【特許請求の範囲】
【請求項１】
電池が装填される電池室と、
前記電池室に装填された電池の正負電極とそれぞれ導通する第１及び第２接片と、
前記第１及び第２接片間を導通または非導通とする切り替え手段とを備え、
前記電池室に電池が装填されているときは前記切り替え手段により前記第１及び第２接片間を非導通とし、前記電池室に電池が装填されていないときは前記切り替え手段により前記第１及び第２接片間を導通させることを特徴とする電源装置。
【請求項２】
請求項１に記載の電源装置であって、
前記切り替え手段は、
前記電池室に形成された開口部に対して進退可能に装着され、前記電池室に電池が装填されているときは前記開口部を介して前記電池室外に突出することで前記第１及び第２接片間を非導通とし、前記電池室に電池が装填されていないときは前記開口部内近傍に位置することで前記第１及び第２接片間を導通させる押し込み部材であること、
を特徴とする電源装置。
【請求項３】
請求項１に記載の電源装置であって、
前記切り替え手段は、
前記電池室を形成する一部であって且つ当該電池室の外部へ突出可能な可動片と、当該可動片の内側に形成された突起部とから構成され、
前記電池室に電池が装填されているときは前記突起部が前記電池に押圧されることにより前記可動片が前記電池室外に突出することで前記第１及び第２接片間を非導通とし、前記電池室に電池が装填されていないときは前記可動片が前記電池室を形成する位置に位置することで前記第１及び第２接片間を導通させることを特徴とする電源装置。
【請求項４】
請求項１から３のいずれか一項に記載の電源装置において、
前記電池室から供給される電圧を所定の昇圧比に基づいて昇圧する昇圧回路と、
前記昇圧回路で昇圧された電圧が所定の閾値以上か閾値未満かを検知する電圧検知回路と、
前記電圧検知回路において前記昇圧回路から出力された電圧が前記閾値以上と検知されたときは前記昇圧回路における昇圧動作を停止し、前記電圧検知回路において前記昇圧回路から出力された電圧が前記閾値未満と検知されたときは前記昇圧回路における昇圧動作を開始する制御回路と、
からなる電源回路部を更に備えることを特徴とする電源装置。
【発明の詳細な説明】
【技術分野】
【０００１】
本発明は、装填された電池により電力を供給する電源装置に関する。
【背景技術】
【０００２】
従来、カメラなどの閃光装置において、装填される電池の本数が正規の値と異なる場合においても確度高く照明光が得られるようにした電子閃光装置が提案されている（例えば、特許文献１参照）。
【特許文献１】特許第３７４４０６２号公報
【発明の開示】
【発明が解決しようとする課題】
【０００３】
上記電子閃光装置では、電池の装填された本数に応じてトランスの巻き線比を変えることにより出力を一定に保つようにしている。しかしながら、この従来の電子閃光装置では、所定数（例として２本／４本）の電池を電池室の特定の位置に装填しないと動作しない構成となっている。つまり従来例では、使用可能な電池の数に制約があり、所定数内のいかなる電池数であっても電力を供給できるようにはなっていなかった。
【０００４】
本発明の課題は、収納可能でさえあれば、所定数内のいかなる電池数であっても電力を供給することができる動電源装置を提供することにある。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、電池が装填される電池室（１００，１００Ａ，１００Ｂ，１００Ｃ）と、前記電池室に装填された電池（１１）の正負電極とそれぞれ導通する第１（１０１）及び第２接片（１０２）と、前記第１及び第２接片間を導通または非導通とする切り替え手段（１０３、１０８、１０９ａ）とを備え、前記電池室に電池が装填されているときは前記切り替え手段により前記第１及び第２接片間を非導通とし、前記電池室に電池が装填されていないときは前記切り替え手段により前記第１及び第２接片間を導通させることを特徴とする電源装置（１）である。
請求項２に記載の発明は、請求項１に記載の電源装置であって、前記切り替え手段は、前記電池室（１００，１００Ａ）に形成された開口部（１０７）に対して進退可能に装着され、前記電池室に電池（１１）が装填されているときは前記開口部を介して前記電池室外に突出することで前記第１（１０１）及び第２接片（１０２）間を非導通とし、前記電池室に電池が装填されていないときは前記開口部内近傍に位置することで前記第１及び第２接片間を導通させる押し込み部材（１０３）であることを特徴とする。
請求項３に記載の発明は、請求項１に記載の電源装置であって、前記切り替え手段は、前記電池室（１００Ｂ）を形成する一部であって且つ当該電池室の外部へ突出可能な可動片（１０８）と、当該可動片の内側に形成された突起部（１０８ａ）とから構成され、前記電池室に電池（１１）が装填されているときは前記突起部が前記電池に押圧されることにより前記可動片が前記電池室外に突出することで前記第１（１０１）及び第２接片（１０２）間を非導通とし、前記電池室に電池が装填されていないときは前記可動片が前記電池室を形成する位置に位置することで前記第１及び第２接片間を導通させることを特徴とする。
請求項４に記載の発明は、請求項１から３のいずれか一項に記載の電源装置において、前記電池室（１００，１００Ａ，１００Ｂ，１００Ｃ）から供給される電圧を所定の昇圧比に基づいて昇圧する昇圧回路（２１）と、前記昇圧回路で昇圧された電圧が所定の閾値以上か閾値未満かを検知する電圧検知回路（２２）と、前記電圧検知回路において前記昇圧回路から出力された電圧が前記閾値以上と検知されたときは前記昇圧回路における昇圧動作を停止し、前記電圧検知回路において前記昇圧回路から出力された電圧が前記閾値未満と検知されたときは前記昇圧回路における昇圧動作を開始する制御回路（２３）とからなる電源回路部（２０）を更に備えることを特徴とする。
なお、符号を付して説明した構成は、適宜改良してもよく、また、少なくとも一部を他の構成物に代替してもよい。
【発明の効果】
【０００６】
本発明によれば、収納可能でさえあれば、所定数内のいかなる電池数であっても電力を供給することができる動電源装置を提供することができる。
【発明を実施するための最良の形態】
【０００７】
以下、本発明に係わる電源装置をカメラの閃光装置用の電源とした場合の実施形態について説明する。
【０００８】
図１は、本実施形態に係わる電源装置の全体構成を示す回路図である。本実施形態の電源装置１は、大別すると、電池部１０と、電圧変換部２０とから構成されている。以下、電池部１０、電圧変換部２０のそれぞれの構成について説明する。
［実施形態１］
【０００９】
本実施形態の電池部１０では、２つの電池室１００が直列に接続されている。各電池室１００には、電池が１または２本装填可能となっている。したがって、電池部１０全体として、１または２〜４本の電池が装填可能となっている。
【００１０】
図２は、実施形態１に係わる電池室１００の構成を示す斜視図である。本実施形態の電池室１００は、内部に電池が装填される箱形の筺体からなり、装填された図示しない電池の正負電極とそれぞれ電気的に導通する第１接片１０１及び第２接片１０２と、押し込み部材１１３とが設けられている。このうち、電池室１００本体と押し込み部材１１３は絶縁性を有する材料により形成されている。
【００１１】
また、電池室１００には、電池を挿入する一方の端部に前カバー１０４が設けられ、他方の端部に後カバー１０６が設けられている。前カバー１０４は、電池室１００の一方の端部に回動自在に取り付けられている（回動機構の図示を省略する）。電池室１００内に電池を装填した後に、前カバー１０４を閉じると、図示しない開閉ノブにより前カバー１０４は電池室１００に係合固定される。電池室１００に装填された電池は、上記開閉ノブを操作して前カバー１０４を開くことにより取り出すことができる。また前カバー１０４の内側には共通電極１１４が設けられている。この共通電極１１４は、第１接片１０１の一部をなしており、装填された２本の電池の一方の正極と、他方の負極の両方とを導通させる電極である。
【００１２】
すなわち、図２に示す電池室１００では、手前側に装填される電池は負極側から挿入し、奥側に装填される電池は正極側から挿入されることになる。なお、本実施形態の電池室１００は、必ずしも２本の電池を挿入する必要はなく、電池を挿入しないか、或いは手前側又は奥側のいずれか一方に電池を装填すればよい。ただし、電池を挿入する方向は上記のように手前側と奥側とでは異なる。図２において、「＋」、「−」の符号はその位置に装填される電池の極性を示している。
【００１３】
後カバー１０６は、電池室１００の奥側の端部に設けられている。この後カバー１０６は、装填された電池を受ける側にあるため、電池室１００に固定されている。
【００１４】
第１接片１０１、第２接片１０２は電池室１００の上面に長手方向に沿って形成されている。第１接片１０１は、一方の端部が前カバー１０４側に延ばされている。そして、前カバー１０４を閉じたときに、一方の端部と共通電極１１４とが接触して電気的に導通するように構成されている。また、第１接片１０１の他方の端部は電池室１００の中央付近まで延ばされている。
【００１５】
第２接片１０２は、一方の端部が後カバー１０６側に延ばされ、その端部は電池室１００の内部で略Ｕ字形に形成されている。第２接片１０２には図示しない配線が接続されている。図２に示す構成では、一方の第２接片１０２がもう一つの電池室１００につながる配線と接続され、他方の第２接片１０２が後述する電圧変換部２０につながる配線と接続されている。また、第２接片１０２の他方の端部は電池室１００の中央付近まで延ばされ、第１接片１０１の他方の端部と接触するように構成されている。さらに、第２接片１０２の下部には、押し込み部材１０３が配置されている。
【００１６】
図３は、押し込み部材１０３の構成を示す斜視図である。同図（ａ）は押し込み部材１０３の斜視図。同図（ｂ）は押し込み部材１０３の配置を示す斜視図である。なお図３（ｂ）では、説明に不要な部分を省略している。図３（ａ）に示すように、押し込み部材１０３は、一方の側に電池１１と接触するスロープ形状の突起部１０３ａが設けられている。また、図３（ｂ）に示すように、電池室１００の上面には、押し込み部材１０３の突起部１０３ａが挿入される開口部１０７が形成されている。押し込み部材１０３は、突起部１０３ａが図中下側に向けられた状態で、電池室１００の開口部１０７に挿入されることにより、開口部１０７に対して進退可能に装着される。
【００１７】
なお、突起部１０３ａの向きは、スロープ面が電池の挿入方向に向くように形成されている。これにより、挿入された電池が押し込み部材１０３に引っ掛かることがなく、また押し込み部材１０３が電池に押圧されたときに、開口部１０７に対してスムーズに進退することになる。また、押し込み部材１０３は電池室１００と同一材料で形成されたものでもよいし、他の絶縁性を有する材料で形成されたものであってもよい。
【００１８】
図４は、電池室１００の長手方向における断面図であり、同図（ａ）は電池装填前の断面図、同図（ｂ）は電池装填後の断面図である。図４（ａ）に示すように、第２接片１０２の一方の端部は、電池室１００の内部で略Ｕ字形に形成されている。この部分は電池１１の挿入方向と反対側に弾性力が与えられており、挿入された電池１１の端部を挿入方向と反対側に押圧して、電池室１００内で電池１１が移動しないように構成されている。
【００１９】
図４（ａ）に示すように、電池１１が電池室１００に装填されていないとき（又は挿入中）は、押し込み部材１０３が開口部１０７内の近傍に位置しているため、第１接片１０１と第２接片１０２とは互いに接触して電気的に導通状態となっている。したがって、電池１１が装填されていないときは、第１接片１０１と第２接片１０２との間には電流が流れることになる。
【００２０】
一方、図４（ｂ）に示すように、電池１１が電池室１００に装填されたときは、押し込み部材１０３の突起部１０３ａが電池１１により押圧され、押し込み部材１０３は開口部１０７から電池室１００の外に突出する。これにより、第２接片１０２は押し込み部材１０３により押し上げられて第１接片１０１と非接触となり、第１接片１０１と第２接片１０２とは電気的に非導通状態となる。したがって、電池１１の装填時には、第１接片１０１と第２接片１０２との間には電流が流れないことになる。
【００２１】
以上の構成による作用を図１で説明すると、電池室１００に電池１１がまったく装填されていないときは、第１接片１０１と第２接片１０２とが接触しているため、電池室１００の正極側と負極側の間は導通状態となる。したがって、電池室１００に電池１１がまったく装填されていない場合でも、電池室１００を含む回路には電流を流すことが可能となる。
【００２２】
また、電池室１００のいずれかの位置に電池１１が装填されると、電池１１が装填された位置では第１接片１０１と第２接片１０２とが電気的に非導通状態となり、電池１１が装填されていない位置では第１接片１０１と第２接片１０２とは電気的に導通状態となる。すなわち、電池１１が装填された位置では、第１接片１０１と第２接片１０２とは間に電池１１を介して導通することになり、電池１１が装填されていない位置では、第１接片１０１と第２接片１０２とは短絡状態となって導通することになる。
【００２３】
したがって、電池室１００全体としては、正極側と負極側との間には電池１本分の電圧が取り出されることになる。さらに、電池室１００の両方の位置にそれぞれ電池１１が装填されると、電池１１が装填されたそれぞれの位置では第１接片１０１と第２接片１０２とが電気的に非導通状態となる。したがって、電池室１００全体としては、正極側と負極側との間には電池２本分の電圧が取り出されることになる。
［実施形態２］
【００２４】
上記実施形態１では、電池１１を電池室１００の長手方向から装填する構成について説明したが、電池１１の装填方向は長手方向と直交する方向（横方向）であってもよい。図５は、電池１１を電池室の横方向から装填するように構成したときの断面図である。図示していないが、この実施形態２においても、電池１１は２本装填されるように構成されている。以下、実施形態１と同等部分には同一符号を付して説明する。
【００２５】
図５に示す電池室１００Ａでは、電池室１００Ａの横方向が開口しており、電池１１は矢印方向から装填される。なお、電池室１００Ａの開口位置には、装填された電池１１の脱落を防止するための図示しないカバーが設けられている。本実施形態の構成においても、電池１１が電池室１００Ａに装填されていないときは、押し込み部材１０３が開口部１０７内近傍に位置しているため、第１接片１０１と第２接片１０２とは接触している。したがって、第１接片１０１と第２接片１０２とは電気的に導通状態となっている。
【００２６】
一方、電池１１が電池室１００に装填されたときは、押し込み部材１０３の突起部１０３ａが電池１１により押圧され、押し込み部材１０３は開口部１０７から電池室１００Ａの外に突出する。このとき、第２接片１０２は押し込み部材１０３により押し出され、第１接片１０１と非接触となるため、第１接片１０１と第２接片１０２とは電気的に非導通状態となる。以上の構成による作用は実施形態１と同じである。
【００２７】
なお、本実施形態において、押し込み部材１０３の位置は電池室１００Ａの底部であってもよいし、側面であってもよい。また、押し込み部材１０３の代わりに、後述する実施形態３の可動片１０８を設けた構成としてもよい。
［実施形態３］
【００２８】
図６は、実施形態３に係わる電池室１００Ｂの構成を示す斜視図である。以下、実施形態１と同等部分には同一符号を付して説明する。
【００２９】
本実施形態では、押し込み部材１０３（図３）の代わりに可動片１０８が設けられている。この可動片１０８は、電池室１００Ｂを形成する一部であって、且つ電池室１００Ｂの外部への突出可能となるように形成されている。
【００３０】
図７は、電池室１００Ｂの長手方向における部分断面図であり、同図（ａ）は電池装填前の部分断面図、同図（ｂ）は電池装填後の部分断面図である。図７（ａ）に示すように、可動片１０８の内側には、電池１１と接触するスロープ形状の突起部１０８ａが形成されている。電池１１が電池室１００Ｂに装填されていないときは（又は挿入中）は、可動片１０８の突起部１０８ａが電池室１００Ｂを形成する位置に位置しているため、第１接片１０１と第２接片１０２とは接触して電気的に導通状態となっている。したがって、電池１１が装填されていないときは、第１接片１０１と第２接片１０２との間には電流が流れることになる。
【００３１】
一方、図７（ｂ）に示すように、電池１１が電池室１００Ｂに装填されたときは、可動片１０８の突起部１０８ａが電池１１により押圧され、可動片１０８は電池室１００Ｂの外に突出する。これにより、第２接片１０２は可動片１０８により矢印方向に押し上げられて第１接片１０１と非接触となり、第１接片１０１と第２接片１０２とは電気的に非導通状態となる。したがって、電池１１の装填時には、第１接片１０１と第２接片１０２との間には電流が流れないことになる。以上の構成による作用は実施形態１と同じである。
［実施形態４］
【００３２】
図８は、実施形態４に係わる電池室１００Ｃの長手方向における部分断面図であり、同図（ａ）は電池装填前の部分断面図、同図（ｂ）は電池装填後の部分断面図である（斜視図を省略する）。
【００３３】
本実施形態では、第２接片１０９の一部に、断面略Ｖ字形の突起部１０９ａが形成されている。図８（ａ）に示すように、電池１１が電池室１００Ｃに装填されていないとき（又は挿入中）は、第２接片１０９の突起部１０９ａが開口部１０７内の近傍に位置しているため、第１接片１０１と第２接片１０９とは接触して電気的に導通状態となっている。したがって、電池１１が装填されていないときは、第１接片１０１と第２接片１０９との間には電流が流れることになる。
【００３４】
一方、図８（ｂ）に示すように、電池１１が電池室１００Ｃに装填されたときは、第２接片１０９の突起部１０９ａが電池１１により押圧され、第２接片１０９は電池室１００Ｃの外に突出する。これにより、第２接片１０９は押し上げられて第１接片１０１と非接触となり、第１接片１０１と第２接片１０９とは電気的に非導通状態となる。したがって、電池１１の装填時には、第１接片１０１と第２接片１０９との間には電流が流れないことになる。以上の構成による作用は実施形態１と同じである。
【００３５】
なお、本実施形態において、突起部１０９ａが電池１１と接する部分には、絶縁性を有する保護膜を形成することが望ましい。
【００３６】
上記実施形態１〜４によれば、以下の効果を奏する。
（１）電池室に所定数の電池を装填しなくても、電池室からは装填した電池の本数分の電力を供給することができるため、この電池室を閃光装置と接続した場合は、所定数内のいかなる電池数であっても閃光装置を動作させることが可能となる。すなわち、先に説明した従来例の電子閃光装置（特許第３７４４０６２号）では、電池１本を装填しただけでは装置そのものを動作させることはできないが、上記実施形態の電池部１０によれば、充電に時間はかかるものの、電池１本を装填しただけでも閃光装置のコンデンサを充電することができ、閃光装置を発光させることができる。
（２）電池室内のどの位置に電池を入れても、装填した本数分の電圧を取り出すことができるので、ユーザは電池の装填位置を確認する必要がなく、電池の装填が容易になる。
（３）実施形態１及び２の電池室１００、１００Ａによれば、電池サイズの異なる電池室を作成した場合でも、同一構成の押し込み部材１０３を使用することができるので、部品コストの削減を図ることができる。また、押し込み部材１０３を紛失、破損した場合でも容易に交換することができるので、メンテナンス性にも優れたものとなる。
（４）実施形態３の電池室１００Ｂによれば、可動片１０８が電池室１００Ｂを形成する一部として構成されているため、この部分を別部品とした場合に比べて部品数を削減することができ、また実装も容易となるので、コスト低減を図ることができる。また、別部品を組み合わせることがないため、公差により生じる寸法ばらつきを少なくすることができる。
（５）実施形態４の電池室１００Ｃによれば、第２接片１０９の一部に突起部１０９ａを形成しているため、上記（４）と同様の理由により、部品数を削減することができる。また実装も容易となるので、コスト低減を図ることができる。さらに、別部品を組み合わせることがないため、公差により生じる寸法ばらつきを少なくすることができる。
［実施形態５］
【００３７】
次に、図１に示す電圧変換部２０の構成について説明する。図９は、電圧変換部２０の構成を示すブロック図である。電圧変換部２０は、電池部１０から出力された電圧を所定の電圧値まで昇圧して閃光部３０へ出力するものである。本実施形態の電圧変換部２０は、電池部１０から供給される電圧を所定の昇圧比に基づいて昇圧する昇圧回路２１と、この昇圧回路２１で昇圧された電圧が所定の閾値以上か閾値未満かを検知する電圧検知回路２２と、この電圧検知回路２２において昇圧回路２１から出力された電圧が閾値以上と検知されたときは昇圧回路２１における昇圧動作を停止し、また電圧検知回路２２において昇圧回路２１から出力された電圧が閾値未満と検知されたときは昇圧回路２１における昇圧動作を開始する制御回路２３とを備えている。
【００３８】
次に、昇圧回路２１の構成について説明する。図１０（ａ）は回路図、同図（ｂ）はクロック信号の波形図である。
【００３９】
図１０（ａ）において、トランスＴの一次側の一端は、ＦＥＴ素子Ｑ１のソースと接続され、そのＦＥＴ素子Ｑ１のドレインは接地されている。また、トランスＴの一次側の他端は、ＦＥＴ素子Ｑ２のソースと接続され、そのＦＥＴ素子Ｑ２のドレインは接地されている。ＦＥＴ素子Ｑ１、Ｑ２のゲートには、制御回路２３から図１０（ｂ）に示すような交互にオン／オフレベルとなるクロック信号が供給される。さらに、トランスＴの一次側の中間タップには、コンデンサＣ１を介して電池部１０が接続されている。
【００４０】
一方、トランスＴの二次側の一端は、ダイオードＤ１を介して接地されるとともに、ダイオードＤ３のアノードと接続されている。また、トランスＴの二次側の他端は、ダイオードＤ２を介して接地されるとともに、ダイオードＤ４のアノードと接続されている。ダイオードＤ３、Ｄ４のカソードは、出力端子Ｖｏｕｔに接続されている。さらに、出力端子Ｖｏｕｔには、メインコンデンサＣ２が接続されている。このメインコンデンサＣ２に充電された充電電圧値が出力端子Ｖｏｕｔの出力電圧として取り出される。
【００４１】
上記のように構成された昇圧回路２１において、トランスＴの一次側に電池部１０の電源電圧Ｅが印加され、且つＦＥＴ素子Ｑ１、Ｑ２のゲートに図１０（ｂ）に示すクロック信号が供給されると、トランスＴの一次側に印加された電圧は徐々に昇圧され、二次側にはトランスＴの巻き線比に応じた電圧が出力される。本実施形態では、電池１１が１本装填されたときの電圧値を基準にしてトランスＴの巻き線比を設定している。例えば、トランスＴの一次側に印加される電源電圧Ｅが１．５Ｖ（電池１本分の電圧値）であり、出力端子Ｖｏｕｔに３３０Ｖの出力電圧が必要であるとすると、トランスＴの巻き線比は、一次：二次＝１：２２０に設定されていればよいことになる。
【００４２】
この場合、電池が２本以上装填されたときには、出力端子Ｖｏｕｔの出力電圧は３３０Ｖよりも高い電圧となる。このために、電圧検知回路２２と制御回路２３とによって、メインコンデンサＣ２の充電電圧値が所定値に保たれるように制御している。すなわち、電圧検知回路２２では、出力側に接続されたメインコンデンサＣ２の充電電圧値が閾値以上か閾値未満か、すなわち３３０Ｖ以上か未満かを検知しており、メインコンデンサＣ２での充電電圧値が３３０Ｖ以上であることを検知したときは、制御回路２３に第１検知信号を送信する。制御回路２３では、電圧検知回路２２から第１検知信号を受信すると、昇圧回路２１のＦＥＴ素子Ｑ１、Ｑ２へのクロック信号の供給を停止する。これにより、昇圧回路２１での昇圧動作が停止し、メインコンデンサＣ２の充電電圧値は３３０Ｖを上回ることなく、ほぼ３３０Ｖ付近の電圧値となる。
【００４３】
なお、メインコンデンサＣ２に充電された電荷は、コンデンサ自身の内部リークなどにより徐々に低下することになる。電圧検知回路２２では、メインコンデンサＣ２での充電電圧値が３３０Ｖ未満となったことを検知したときは、制御回路２３に第２検知信号を送信する。制御回路２３では、電圧検知回路２２から第２検知信号を受信すると、昇圧回路２１のＦＥＴ素子Ｑ１、Ｑ２へのクロック信号の供給を再開する。これにより、昇圧回路２１において昇圧動作が開始され、メインコンデンサＣ２の充電電圧値は３３０Ｖを下回ることなく、ほぼ３３０Ｖ付近の電圧値となる。
【００４４】
以上の動作により、メインコンデンサＣ２は、閃光部３０において常に安定した発光を行うことができる充電電圧値を維持することができるようになる。なお、制御回路２３において、昇圧回路２１での昇圧動作を停止した後、図示しないタイマー回路から所定時間毎にタイムアップ信号を出力させ、このタイミングに合わせて定期的に昇圧動作を行うようにしてもよい。
【００４５】
上記実施形態５によれば、以下の効果を奏する。
（１）電池部１０に装填された電池数が所定数に満たない場合でも、昇圧回路２１により必要な出力電圧まで昇圧されるため、少ない昇圧時間で必要な電圧値を得ることができる。
（２）メインコンデンサＣ２での充電電圧値が所定の閾値以上であるときは昇圧動作を停止し、また所定の閾値未満であるときは昇圧動作を開始するようにしたので、メインコンデンサＣ２での充電電圧値をほぼ所定値付近に維持することができる。したがって、閃光部３０において常に安定した発光を行うことができる。
［変形形態］
【００４６】
以上、説明した実施形態に限定されることなく、以下に示すような種々の変形や変更が可能であり、それらも本発明の範囲内である。
（１）上記実施形態では、一つの電池室に２本の電池を装填できるようにした例について説明したが、一つの電池室に更に複数本の電池を装填できるように構成してもよい。また、上記実施形態では、電池部１０において合計で４本の電池が接続される例について示したが、少なくとも２本の電池が接続されればよく、５本以上の電池が接続される構成であってもよい。
（２）実施形態１〜３において、押し込み部材１０３、可動片１０８の形状や設置箇所は適宜に変更可能である。例えば、突起部１０３ａ、１０８ａはスロープ形状に限らず、半球形、半円柱形などの球面形状であってもよい。
上記実施形態の構成は適宜に組み合わせて用いることもできるが、各実施形態の構成は図示により明らかであるため、詳細な説明は省略する。また、本発明、以上説明した各実施形態によって限定されることはない。
【図面の簡単な説明】
【００４７】
【図１】実施形態に係わる電源装置の全体構成を示す回路図である。
【図２】実施形態１に係わる電池室の構成を示す斜視図である。
【図３】実施形態１に係わる押し込み部材の構成を示す斜視図。（ａ）は押し込み部材の斜視図。（ｂ）は押し込み部材の配置を示す斜視図である。
【図４】実施形態１に係わる電池室の長手方向における断面図。（ａ）は電池装填前の断面図。（ｂ）は電池装填後の断面図である。
【図５】実施形態２に係わる電池室の断面図である。
【図６】実施形態３に係わる電池室の構成を示す斜視図である。
【図７】実施形態３に係わる電池室の長手方向における部分断面図。（ａ）は電池装填前の部分断面図。（ｂ）は電池装填後の部分断面図である。
【図８】実施形態４に係わる電池室の長手方向における部分断面図。（ａ）は電池装填前の部分断面図。（ｂ）は電池装填後の部分断面図である
【図９】電圧変換部の構成を示すブロック図である。
【図１０】昇圧回路の構成を示す説明図。（ａ）は昇圧回路の回路図。（ｂ）はクロック信号の波形図である。
【符号の説明】
【００４８】
１０：電池部、１１：電池、２０：電圧変換部、２１：昇圧回路、２２：電圧検知回路、２３：制御回路、３０：閃光部、１００，１００Ａ，１００Ｂ，１００Ｃ：電池室、１０１：第１接片、１０２，１０９：第２接片、１０３：押し込み部材、１０７：開口部、１０８：可動片
【図１】
2010061900.tif 000003
【図２】
2010061900.tif 000004
【図３】
2010061900.tif 000005
【図４】
2010061900.tif 000006
【図５】
2010061900.tif 000007
【図６】
2010061900.tif 000008
【図７】
2010061900.tif 000009
【図８】
2010061900.tif 000010
【図９】
2010061900.tif 000011
【図１０】
2010061900.tif 000012